(57)【要約】【課題】エンジン室等の装置内部への破砕物（木材粉）の侵入を防止できて、破砕物によるエンジン等への悪影響を回避することが可能な木材破砕装置を提供する。【解決手段】木材を破砕機１にて破砕する木材破砕装置である。上壁部３１と、周囲壁を構成する略鉛直壁部３２とを有する外装カバー３０を備える。上壁部３１と略鉛直壁部３２との間の境部に、破砕物が上方から装置内部へ侵入するのを防止する重ね合せ構造３３を設けた。上壁部３１側に、略鉛直壁部３２の上端縁部を上方から被う庇部３７を設けて重ね合せ構造３３を構成した。【選択図】図１
2005131514.tif 000002
【特許請求の範囲】
【請求項１】
木材を破砕機（１）にて破砕する木材破砕装置において、上壁部（３１）と、周囲壁を構成する略鉛直壁部（３２）とを有する外装カバー（３０）を備え、上壁部（３１）と略鉛直壁部（３２）との間の境部に、破砕物が上方から装置内部へ侵入するのを防止する重ね合せ構造（３３）を設けたことを特徴とする木材破砕装置。
【請求項２】
上壁部（３１）側に、上記略鉛直壁部（３２）の上端縁部（２３ａ）を上方から被う庇部（３７）を設けて重ね合せ構造（３３）を構成したことを特徴とする請求項１の木材破砕装置。
【請求項３】
上記庇部（３７）の先端側を先端に向かって下傾させたことを特徴とする請求項２の木材破砕装置。
【請求項４】
重ね合せ構造（３３）に、破砕物の装置内部への横方向からの侵入を防止するラビリンス部（３４）を設けたことを特徴とする請求項１〜請求項３のいずれかの木材破砕装置。
【請求項５】
木材を破砕機（１）にて破砕する木材破砕装置において、端部（Ｅ１）（Ｅ２）同士が接合される一対の上面カバー（４４）（４４）を有する外装カバー（４２）を備え、一方の上面カバー（４４）の端部（Ｅ１）は、略水平方向第１部（４６）と、この略水平方向第１部（４６）の先端から上下方向に延びる上下方向部（４７）と、この上下方向部（４７）の下端から他方の上面カバー（４４）側に延びる略水平方向第２部（４８）とを有し、一方の上面カバー（４４）の略水平方向第１部（４６）の上面に他方の上面カバー（４４）の端部（Ｅ２）を重ね合せたことを特徴とする木材破砕装置。
【発明の詳細な説明】
【技術分野】
【０００１】
この発明は、木材を破砕するための木材破砕装置に関するものである。
【背景技術】
【０００２】
木材を破砕するための木材破砕装置として、自走式の木材破砕装置（木材破砕機械）がある（例えば、特許文献１参照）。この自走式の木材破砕装置は、図９に示すように、回転式破砕機（破砕体）６１と、軸心廻りに回転して回転式破砕体６１に木材を供給するタブ（回転式タブ）６２とを備えたものである。なお、上記タブ６２及び回転式破砕体６１等は機体６３に付設され、また、この機体６３には走行体６４が付設されている。そして、タブ６２の上部にはホッパ６８が付設され、このホッパ６８に木材を投入することによって、タブ６２内に木材が供給される。これにより、木材を回転式破砕体６１にて破砕して、その破砕物をこの回転式破砕体６１の下方に供給して、搬送コンベア６５にて外部へ排出するものである。
【０００３】
ところで、上記特許文献１に記載の自走式の木材破砕機械では、機体６３の後方側に、エンジン囲い体７０を配置して、上記エンジンが収納されるエンジン室７１を設けている。また、エンジン室７１の隣には、各種機器が収納される機器収納室（機器収納部）７３が設けられている。この収納室７３は機体６３に機器カバー体７２を配置して形成している。
【０００４】
そして、上記木材破砕機械では、エンジン囲い体７０の上部には、エンジンフードとしての蓋部材７４が付設されると共に、このエンジン囲い体７０の後方開口部が後面カバー７５にて塞がれている。この場合、搬送コンベア６５が突出している方を前方と呼び、搬送コンベア６５が突出していない方を後方と呼ぶ。そして、上壁部７７と側壁部７８等にて外装カバーを構成し、この上壁部７７と側壁部７８との間に、図１０に示すように、上方に向かって開口する隙間７９が設けられる。すなわち、上壁部７７は、上面壁７７ａとこの外周縁から垂下される垂下壁７７ｂとからなり、側壁部７８は後面カバー７５からなる。この隙間７９は上記図９のＡ部において形成される。また、エンジン囲い体７０には、エンジン室７１の点検用開口部が設けられ、図１１のように、この開口部にはドア８０が付設されている。この場合、エンジン囲い体７０の上面カバー７０ａにて構成される上壁部７７と、ドア８０にて構成される側壁部７８との間に、上方に向かって開口する隙間８１が設けられる。
【特許文献１】特開２００２−１９２９６９号公報（第４−５頁、図１）
【発明の開示】
【発明が解決しようとする課題】
【０００５】
ところで、破砕時（特に、タブ６２内において木材が少ない時）には、破砕片（破砕物）の一部が回転式タブ６２及びホッパ６８を通過して、外部へ飛散する。このため、上記したように隙間７９、８１を有していれば、飛散した破砕片（破砕物）が隙間７９、８１からエンジン室７１内に入り込むことになる。エンジン室７１に破砕物（木材粉）が侵入すれば、このエンジン室７１に収納されたエンジンや冷却用ファン等に対して悪影響を与え、これらが故障したり、オーバーヒートしたり、損傷したりするおそれがある。さらに、このようにエンジン室７１等に破砕物に侵入すれば、破砕物が堆積して、腐敗する場合があり、腐敗すれば、衛生上好ましくないと共に、腐敗臭が発生する。しかも、破砕物が木材粉であるために、この堆積粉は水分を含んでおり、この水分によって、エンジン室７１等内の金属部品の腐食が促進される。さらに、エンジン室点検用の開口部のドア８０の上部に破砕物（木材粉）に溜まる場合もある。このようなときに、ドア８０を開ければ、ドア上部に溜まった破砕物が落下して、作業者の衣服等を汚すおそれがある。
【０００６】
また、上記図９のＢ部においては、図１２に示すように外装カバー８２を上面カバー８３ａ、８３ｂにて構成しており、上面カバー８３ａ、８３ｂとの間に隙間８４が生じる。このため、隙間８４にウレタン樹脂等からなる介装部材８５を詰めて内部に破砕物が侵入しないようにする場合があった。しかしながら、介装部材８５を装着する場合では、カバー脱着時に介装部材８５を傷めたり、この経年劣化により介装部材８５自体が傷んだり、介装部材８５の上面カバー接着部においてはがれが生じたりするおそれがある。そのため、内部への破砕物の侵入を長期にわたって安定して防止することができない。
【０００７】
さらに、外装カバー８２の上面カバー８３ａ、８３ｂを、図１３に示すように、機体６３に設けられるフレーム８６に取付ける場合がある。すなわち、上下方向のフレーム８６に横方向のフレーム８７ａ、８７ｂを取付け、一方のフレーム８７ａに一方の上面カバー８３ａの端部を載置状として、ボルト部材とナット部材とからなる固着具８８を介してこのフレーム８７ａに上面カバー８３ａの端部を取付けると共に、他方のフレーム８７ｂに他方の上面カバー８３ｂの端部を載置状として、固着具８８を介してこのフレーム８７ｂに上面カバー８３ｂの端部を取付けている。
【０００８】
このため、図１３のように機体６３に設けられるフレーム８６を利用した場合、横方向のフレーム８７ａ、８７ｂを必要とする。ところで、この外装カバー８２が、例えば、この木材破砕装置を駆動させるための油圧回路における操作弁等が収納される機器収納部の上壁部を構成するものであれば、上面カバー８３ａ、８３ｂを外して、この機器収納部内を点検する必要がある。しかしながら、このような点検の際には、横方向のフレーム８７ａ、８７ｂのために操作弁、及びこの近傍での点検作業が極めて行い難く、作業性に劣ることになる。
【０００９】
この発明は、上記従来の欠点を解決するためになされたものであって、その目的は、エンジン室等の装置内部への破砕物（木材粉）の侵入を防止できて、破砕物によるエンジン等への悪影響を回避することが可能な木材破砕装置を提供することにある。
【課題を解決するための手段】
【００１０】
そこで請求項１の木材破砕装置は、木材を破砕機１にて破砕する木材破砕装置において、上壁部３１と、周囲壁を構成する略鉛直壁部３２とを有する外装カバー３０を備え、上壁部３１と略鉛直壁部３２との間の境部に、破砕物が上方から装置内部へ侵入するのを防止する重ね合せ構造３３を設けたことを特徴としている。
【００１１】
上記請求項１の木材破砕装置では、重ね合せ構造３３にて、破砕物の装置内部への上方からの侵入を防止することができる。
【００１２】
請求項２の木材破砕装置は、上壁部３１側に、上記略鉛直壁部３２の上端縁部を上方から被う庇部３７を設けて重ね合せ構造３３を構成したことを特徴としている。
【００１３】
上記請求項２の木材破砕装置では、上壁部３１側に、上記略鉛直壁部３２の上端縁部を上方から被う庇部３７を設けて重ね合せ構造３３を構成したので、重ね合せ構造３３としては簡単な構造であり、しかも、上方からの破砕物の装置内部への侵入を安定して防止することができる。
【００１４】
請求項３の木材破砕装置は、上記庇部３７の先端側を先端に向かって下傾させたことを特徴としている。
【００１５】
上記請求項３の木材破砕装置では、上記庇部３７の先端側を先端に向かって下傾させたので、上方から破砕物が庇部３７上に落下してもこの庇部３７から滑り落ちる。このため、庇部３７上に破砕物がたまらず、装置内部へ侵入するのを防止できる。
【００１６】
請求項４の木材破砕装置は、重ね合せ構造３３に、破砕物の装置内部への横方向からの侵入を防止するラビリンス部３４を設けたことを特徴としている。
【００１７】
上記請求項４の木材破砕装置では、重ね合せ構造３３に、破砕物の装置内部への横方向からの侵入を防止するラビリンス部３４を設けたので、装置内部への破砕物の侵入を一層防止することができる。
【００１８】
請求項５の木材破砕装置は、木材を破砕機１にて破砕する木材破砕装置において、端部Ｅ１、Ｅ２同士が接合される一対の上面カバー４４、４４を有する外装カバー４２を備え、一方の上面カバー４４の端部Ｅ１は、略水平方向第１部４６と、この略水平方向第１部４６の先端から上下方向に延びる上下方向部４７と、この上下方向部４７の下端から他方の上面カバー４４側に延びる略水平方向第２部４８とを有し、一方の上面カバー４４の略水平方向第１部４６の上面に他方の上面カバー４４の端部Ｅ２を重ね合せたことを特徴としている。
【００１９】
上記請求項５の木材破砕装置では、一方の上面カバー４４の略水平方向第１部４６の上面に他方の上面カバー４４の端部Ｅ２を重ね合せたので、端部Ｅ１、Ｅ２同士が接合される一対の上面カバー４４、４４間に、上方に向かって開口する開口部が生じない。このため、一対の上面カバー４４、４４の接合部において、上方からの破砕物の装置内部への侵入を防止できる。しかも、一方の上面カバー４４の端部Ｅ１は、略水平方向第１部４６と、この略水平方向第１部４６の先端から上下方向に延びる上下方向部４７と、この上下方向部４７の下端から他方の上面カバー４４側に延びる略水平方向第２部４８とを有するものであり、強度上優れ、他方の上面カバー４４の端部Ｅ２が一方の上面カバー４４の略水平方向第１部４６に重ね合わされた際には、他方の上面カバー４４の端部Ｅ２を安定して受けることができる。すなわち、この一対の上面カバー４４に接合部において、ウレタン樹脂等からなる介在部材や横方向のフレームを必要としない。
【発明の効果】
【００２０】
請求項１の木材破砕装置によれば、破砕物の装置内部への上方からの侵入を防止することができる。このため、装置内部での破砕物の堆積を回避することができ、破砕物の水分による金属部分（装置内部の各種機器や外装カバー自体等）の腐食を防止できて、長期にわたって破砕作業を安定して行うことができる。また、装置内部での破砕物の腐敗による悪臭の発生を防止でき、この木材破砕装置の近くの作業者は快適に作業を行うことができる。
【００２１】
請求項２の木材破砕装置によれば、重ね合せ構造としては簡単な構造であり、低コストにて、破砕物の装置内部への侵入を安定して防止することができるので、装置内部への破砕物侵入防止の信頼性が向上する。
【００２２】
請求項３の木材破砕装置によれば、庇部上に破砕物が溜まらず、装置内部へ侵入するのを防止できる。例えば、略鉛直壁部がエンジン室点検用の開口部のドアである場合に、庇部上に破砕物が溜まらないので、このドアを開いた際に、破砕物が落下しない。このため、エンジン室を点検する際に作業者が破砕物にて汚れることを防止できる。
【００２３】
請求項４の木材破砕装置によれば、装置内部への破砕物の侵入を一層防止することができる。これにより、装置内部への破砕物侵入防止の信頼性が確実に向上する。
【００２４】
請求項５の木材破砕装置によれば、端部同士が接合される一対の上面カバー間に、上方に向かって開口する開口部が生じないので、破砕物の装置内部内への上方からの侵入を防止することができる。このため、装置内部での破砕物の堆積を回避することができ、装置内部の破砕物の水分による機器の腐食を防止できて、長期にわたって破砕作業を安定して行うことができる。また、装置内部での破砕物の腐敗による悪臭の発生を防止でき、この木材破砕装置の近くの作業者は快適に作業を行うことができる。しかも、他方の上面カバーの端部が一方の上面カバーの略水平方向第１部に重ね合わされた際には、他方の上面カバーの端部を安定して受けることができる。このため、このウレタン樹脂等の介装部材を必要とせず、カバー脱着時の取り扱いが容易となると共に、破砕物の侵入防止性の信頼性が向上する。また、強度上優れ、横方向のフレーム等を設けることなく、一対の上面カバーの端部同士を安定して接合することができるので、上面カバーを取外して装置内部の操作弁等を点検する場合の点検作業性が向上する。
【発明を実施するための最良の形態】
【００２５】
次に、この発明の木材破砕装置の具体的な実施の形態について、図面を参照しつつ詳細に説明する。図１は木材破砕装置の側面図であり、図２はその背面図である。この木材破砕装置は自走式であって、回転式破砕機（破砕体）１と、軸心廻りに回転して回転式破砕機１に木材を供給する略円筒状のタブ（回転式タブ）２とを備えたものである。そして、上記タブ２及び回転式破砕機１等は機体３に付設され、この機体３には走行体４が付設されている。また、タブ２の上部にはホッパ５が付設され、このホッパ５に木材を投入することによって、タブ２内に木材が供給される。これにより、木材を回転式破砕体１にて破砕して、その破砕物（破砕片）をこの回転式破砕体１の下方に供給して、搬送コンベア６にて外部へ排出するものである。なお、この木材破砕装置においては、走行体４を履帯式としたが、タイヤ式であってもよい。また、走行体４を設けずに定置式としたり、可搬式の木材破砕装置としたりしてもよい。
【００２６】
この場合、機体３の後方側において、タブ２は図示省略の駆動機構にてその軸心廻りに回転可能とされ、また、ホッパ５は機体３から立設された支柱７・・に支持され、その下端部がタブ２の上端部に遊嵌状に外嵌されている。そして、タブ２の下部側に上記破砕機１が配設されている。ここで、搬送コンベア６が突出している方を前方と呼び、搬送コンベア６が突出していない方を後方と呼ぶ。なお、ホッパ５はその投入口８が水平面に対して傾斜しており、さらに、この投入口８には一部を覆う飛散防止カバー９が付設されている。
【００２７】
積込機械（図示省略）等にてホッパ５の投入口８に木材（被破砕物）を投入すると、木材は回転しているタブ２に投入され、この回転しているタブ２によって破砕機１に導入される。そして、破砕機１にて木材が破砕され、所定粒度以下の破砕片（木材片）が、図示省略のスクリーンを介して、上記したように、搬送コンベア６に供給されて外部へ排出される。また、破砕時に破砕片の一部が上方へ飛散するが、その上方へ飛散した破砕片は飛散防止カバー９に衝突してホッパ５からの外部への飛散を防止している。
【００２８】
ところで、機体３の前方側には、図示省略のエンジン等が収納されるエンジン室１０が設けられ、このエンジン室１０よりも後方側に機器収納部１１が設けられている。すなわち、機体３にエンジン囲い体１２が配置され、このエンジン囲い体１２の内部をもってエンジン室１０が構成される。また、図１と図３と図４に示すように、エンジン囲い体１２は、囲い本体１３と、この囲い本体１３の上壁１４の開口部を塞ぐ外カバー１５と、囲い本体１３の一方の側方に付設される側方カバー１６とを備える。そして、囲い本体１３には側カバー１６と反対側の他方の側方に図３に示すように、点検用開口部１８が形成され、この点検用開口部１８がドア２０にて塞がれている。
【００２９】
ドア２０はその前端部２０ａが、囲い本体１３の枠体２１の一方（ドア側）の前端縦枠２２に図示省略のヒンジ機構を介して揺動可能に枢結されている。そして、このドア２０は、図５に示すように、その上端部２３が内方へ湾曲し、さらにその上端縁部２３ａが略水平状に形成されている。また、囲い本体１３の上壁１４にはカバー部材２４がボルト部材１７とナット部材１９とからなる固定具３８にて付設されている。このカバー部材２４は、その両側端部が下方に垂下した垂下部２４ａ、２４ｂが形成された平板体からなり、枠体２１を前後方向に連結する連結部２５に取付けられる。連結部２５は水平片部２５ａと傾斜片部２５ｂとからなり、水平片部２５ａを枠体２１の水平方向部２６に重ね合わせて、連結部２５のナット部材２８に、カバー部材２４及びスペーサ部３９に挿通されるボルト部材２７を螺着することによって、カバー部材２４を枠体２１に取付けている。
【００３０】
この際、ドア２０の上端縁部２３ａと、カバー部材２４の外方の垂下部２４ａとが上下にラップしている。すなわち、カバー部材２４の垂下部２４ａにて上端縁部２３ａを上方から覆っている。また、カバー部材２４の垂下部２４ａの近傍にはこの垂下部２４ａの沿って垂下壁部２９が設けられ、ドア２０の上端縁部２３ａと、カバー部材２４の垂下部２４ａとで構成される横方向に開口する隙間Ｓをカバー部材２４の内部側から覆っている。ところで、エンジン囲い体１２とドア２０等を外装カバー３０と呼ぶことができ、この外装カバー３０は、囲い本体１３の上壁１４にて構成する上壁部３１と、ドア２０にて構成することができる略鉛直壁部３２とを有することになって、この上壁部３１（上壁１４）と略鉛直壁部３２（ドア２０）との間の境部に、破砕物（破砕片）の装置内部内への上方からの侵入を防止する重ね合せ構造３３を設けたことになる。
【００３１】
すなわち、破砕作業等において、飛散防止カバー９にてすべての破砕物（破砕片）のホッパ５からの外部へ飛散を防止できるものではなく、一部の破砕物がホッパ５の投入口８から外部へ飛散する。この場合、破砕物は上方に向かって飛散するので、この上方へ飛散した破砕物がこの装置に落下する。また、被破砕物である木材の積込時（投入時）等における埃もこの装置近傍に浮遊しているので、このような埃もこの装置内に落下するおそれがある。しかしながら、この装置では、上壁部３１（上壁１４）と略鉛直壁部３２（ドア２０）との間において、上方に向かって開口する隙間が設けられず、上方から落下する破砕物等（この場合、破砕物及び埃）が装置内部（この場合、エンジン室１０）への侵入を防止することができる。この場合、カバー部材２４の一方（ドア側）の垂下部２４ａはいわゆる庇部３７を構成し、しかも、下方に垂下しており、この庇部３７上に上方からの破砕物（木材片）等が溜まらない。また、カバー部材２４の垂下部２４ａの近傍にはこの垂下部２４ａの沿って垂下壁部２９が設けられているので、破砕物等の装置内部への横方向からの侵入を防止するラビリンス部３４を設けたことになる。このため、装置内部への破砕物等の侵入を一層防止することができる。
【００３２】
ところで、エンジン室１０の前方側には前面カバー３５が設けられている。このため、図６に示すように、エンジン囲い体１２の外カバー１５と前面カバー３５との上面との間の境部に、重ね合せ構造３３を設けている。この場合、囲い本体１３の上壁１４に延設部３６を設け、この延設部３６を前面カバー３５側に突出させている。また、延設部３６はその先端部には前面カバー３５側に向かって順次下方へ傾斜した庇部３７を備える。すなわち、この場合も、エンジン囲い体１２と前面カバー３５等を外装カバー３０と呼べば、囲い本体１３の上壁１４が上記上壁部３１となり、前面カバー３５が上記略鉛直壁部３２となる。したがって、上壁部３１と略鉛直壁部３２との間の境部において、上方に向かって開口する開口部が設けられず、上方から破砕物等が上方から飛散したとしても、この上方からの破砕物等の装置内部（エンジン室１０）への侵入を防止することができる。しかも、延設部３６の先端部には前面カバー３５側に向かって順次下方へ傾斜した庇部３７を備えるので、上方から飛散した破砕物（木材粉）等はこの庇部３７に溜まり難く、下方へ落下していくことになる。
【００３３】
上記機器収納部１１は、図１に示すように、機体３に設けられる機器囲い体４１にて構成され、その外装カバー４２の上壁４３は、図７と図８に示すように、複数の上面カバー４４・・にて構成される。この場合、まず、エンジン囲い体１２側の上面カバー４４ａとその隣の上面カバー４４ｂについて説明する。一方（前方側）の上面カバー４４ａの端部（後端部）Ｅ１は、略水平方向第１部４６と、この略水平方向第１部４６の先端から上下方向に延びる上下方向部４７と、この上下方向部４７の下端から他方の上面カバー４４ｂ側に延びる略水平方向第２部４８とを有し、一方の上面カバー４４ａの略水平方向第１部４６の上面に他方の上面カバー４４ｂの端部（前端部）Ｅ２を重ね合わせている。そして、この重ね合せ部５０において、ボルト部材５１とナット部材５２とからなる固定具５３にて、上面カバー４４ａ、４４ｂの端部Ｅ１、Ｅ２を連結している。
【００３４】
また、上面カバー４４ｂと、これより後方の上面カバー４４ｃとについて説明すれば、この場合、上面カバー４４ｂが一方の上面カバーとなり、上面カバー４４ｃが他方の上面カバーになる。このため、上面カバー４４ｂの後端部Ｅ１に、略水平方向第１部４６と、この略水平方向第１部４６の先端から上下方向に延びる上下方向部４７と、この上下方向部４７の下端から他方の上面カバー４４ｂ側に延びる略水平方向第２部４８とを有する。そして、上面カバー４４ｂの略水平方向第１部４６の上面に上面カバー４４ｃの端部（前端部）Ｅ２を重ね合わせ、この重ね合せ部５０において固定具５３にて、上面カバー４４ｂ、４４ｃの端部Ｅ１、Ｅ２を連結している。なお、各上面カバー４４の下面には、前後方向と直交する方向である左右方向（横方向）の補強部材５５が付設されている。すなわち、この補強部材５５は、断面扁平略Ｕ字状の本体部５５ａと、この本体部５５ａに連設された鍔部５５ｂ、５５ｂとからなり、鍔部５５ｂ、５５ｂが上面カバー４４の下面に溶接等の固着手段にて固着されている。
【００３５】
このため、一方の上面カバー４４の略水平方向第１部４６の上面に他方の上面カバー４４の端部Ｅ２を重ね合せたので、端部Ｅ１、Ｅ２同士が接合される一対の上面カバー４４、４４間に、上方に向かって開口する開口部が生じない。すなわち、一対の上面カバー４４、４４の接合部において、上方からの破砕物等の装置内部への侵入を防止できる。しかも、一方の上面カバー４４の端部Ｅ１は、略水平方向第１部４６と、この略水平方向第１部４６の先端から上下方向に延びる上下方向部４７と、この上下方向部４７の下端から他方の上面カバー４４側に延びる略水平方向第２部４８とを有するものであり、強度上優れ、他方の上面カバー４４の端部Ｅ２が一方の上面カバー４４の略水平方向第１部４６に重ね合わされた際には、他方の上面カバー４４の端部Ｅ２を安定して受けることができる。すなわち、この一対の上面カバー４４、４４に接合部において、ウレタン樹脂等からなる介在部材や横方向のフレームを必要としない。
【００３６】
上記木材破砕装置では、上記重ね合せ構造３３により、破砕物等の装置内部への上方からの侵入を防止することができる。このため、装置内部での破砕物等の堆積を回避することができ、破砕物等の水分による金属部分（装置内部の各種機器や外装カバー自体等）の腐食を防止できて、長期にわたって破砕作業を安定して行うことができる。また、装置内部での破砕物等の腐敗による悪臭の発生を防止でき、この木材破砕装置の近くの作業者は快適に作業を行うことができる。
【００３７】
また、重ね合せ構造３３としては図５と図６等に示すように簡単な構造であり、低コストにて、破砕物等の装置内部への侵入を安定して防止することができるので、装置内部への破砕物等の侵入防止の信頼性が向上する。さらに、先端部が下方へ傾斜した庇部３７を有するものであれば、庇部３７上に破砕物等が溜まらず、装置内部へ侵入するのを防止できる。例えば、図５に示すように、略鉛直壁部３２がエンジン室点検用の開口部１８のドア２０である場合に、庇部３７上に破砕物等が溜まらないので、このドア２０を開いた際に、破砕物等が落下しない。このため、エンジン室１０を点検する際に作業者が破砕物等にて汚れることを防止できる。特に、図５に示すように、ラビリンス部３４を有するものであれば、装置内部への破砕物等の侵入を一層防止することができる。これにより、装置内部への破砕物等の侵入防止の信頼性が確実に向上する。
【００３８】
図７と図８に示すように、端部Ｅ、Ｅ同士が接合される一対の上面カバー４４、４４間に、上方に向かって開口する開口部が生じないので、破砕物等の装置内部内への上方からの侵入を防止することができる。このため、装置内部での破砕物等の堆積を回避することができ、装置内部の破砕物等の水分による機器の腐食を防止できて、長期にわたって破砕作業を安定して行うことができる。また、装置内部での破砕物等の腐敗による悪臭の発生を防止でき、この木材破砕装置の近くの作業者は快適に作業を行うことができる。しかも、ウレタン樹脂等の介装部材を必要とせず、カバー脱着時の取り扱いが容易となると共に、破砕物等の侵入防止性の信頼性が向上する。また、横方向のフレームを設けることなく、一対の上面カバー４４、４４の端部Ｅ、Ｅ同士を安定して接合することができるので、上面カバー４４を取外して装置内部の操作弁等を点検する場合の点検作業性が向上する。
【００３９】
以上にこの発明の具体的な実施の形態について説明したが、この発明は上記形態に限定されるものではなく、この発明の範囲内で種々変更して実施することができる。例えば、重ね合せ構造３３としては、図５や図６に示した部位（位置）に限るものではなく、従来において上方に開口する開口部が形成されていた部位に設けることができる。また、図４において、その重ね合せ構造３３は、上壁部３１である上壁１４が上方に位置し、略鉛直壁部３２であるドア２０の上端縁部２３ａが下方に位置しているが、逆に、上端縁部２３ａが上方に位置し、上壁１４が下方に位置するようにしてもよい。さらに、上記図５において、カバー部材２４を使用して重ね合せ構造３３を構成していたが、このようなカバー部材２４を使用することなく、上壁１４をドア２０側に延設して、このような重ね合せ構造３３を構成してもよい。また、上記図７における外装カバー４２は、複数枚の上面カバー４４を使用するものであるが、この上面カバー４４の数としても増減可能である。
【図面の簡単な説明】
【００４０】
【図１】この発明の木材破砕装置の実施形態を示す側面図である。
【図２】上記木材破砕装置の背面図である。
【図３】上記木材破砕装置の前方側からの要部簡略斜視図である。
【図４】上記木材破砕装置の後方側からの要部簡略斜視図である。
【図５】上記図３のＣ部拡大断面図である。
【図６】上記図３のＤ部拡大断面図である。
【図７】上記木材破砕装置の機器収納部を構成する外装カバーの拡大断面図である。
【図８】上記外装カバーの斜視図である。
【図９】従来の木材破砕装置の側面図である。
【図１０】上記図９のＡ部拡大断面図である
【図１１】従来の木材破砕装置のエンジン収納室のドアを示す断面図である。
【図１２】上記図９のＢ部拡大断面図である。
【図１３】従来の木材破砕装置の機器収納部を構成する外装カバーの要部断面である。
【符号の説明】
【００４１】
１・・破砕機、２３ａ・・上端縁部、３０・・外装カバー、３１・・上壁部、３２・・略鉛直壁部、３３・・重ね合せ構造、３４・・ラビリンス部、４２・・外装カバー、４４・・上面カバー、Ｅ・・端部
【図１】
2005131514.tif 000003
【図２】
2005131514.tif 000004
【図３】
2005131514.tif 000005
【図４】
2005131514.tif 000006
【図５】
2005131514.tif 000007
【図６】
2005131514.tif 000008
【図７】
2005131514.tif 000009
【図８】
2005131514.tif 000010
【図９】
2005131514.tif 000011
【図１０】
2005131514.tif 000012
【図１１】
2005131514.tif 000013
【図１２】
2005131514.tif 000014
【図１３】
2005131514.tif 000015